(57)【要約】    【課題】  事故や災害などによって医療機関にＲＦＩＤトリアージタッグを装着された負傷者が大量に搬送されたときも医療機関内の患者管理に用いられる患者情報が付与されたリストバンドを円滑に発行することができるリストバンド発行システムを提供する。    【解決手段】  ＲＦＩＤトリアージタッグ２を装着した負傷者が医療機関に搬送されてきたときに、読取装置４でＲＦＩＤトリアージタッグ２に記憶された負傷者情報を読取り、ホストコンピューター５で読取った負傷者情報から医療機関内の患者の管理に必要な患者情報を抽出し、印字装置６でこの患者情報を付与したリストバンド３を発行するというリストバンド発行システム１である。【選択図】  図１
2008009528.tif 000002
【特許請求の範囲】
【請求項１】
リストバンドを発行するシステムであって、
ＲＦＩＤに負傷者情報を記憶したＲＦＩＤトリアージタッグと、
ＲＦＩＤトリアージタッグに記憶された負傷者情報を読取可能な読取手段と、
前記読取手段で読取った負傷者情報の中からリストバンドに付与する患者情報のみを抽出する抽出手段と、
前記抽出手段で抽出した患者情報を付与したリストバンドを発行する印字手段と、を備えるリストバンド発行システム。
【請求項２】
前記患者情報は、負傷者情報の中からリストバンドに付与する情報を選択し、選択したリストバンドに付与する情報を患者情報として設定できる設定手段によって設定されることを特徴とする請求項１記載のリストバンド発行システム。
【請求項３】
前記負傷者情報は、負傷者の氏名、年齢、性別、住所、電話番号、傷病名、トリアージ区分、特記事項、トリアージ実施月日・時刻、トリアージ実施者名、搬送機関名、収容医療機関名、トリアージ実施場所、トリアージ実施機関、トリアージ実施者区分という項目を有することを特徴とする請求項１記載のリストバンド発行システム。
【請求項４】
読取装置と、ホストコンピューターと、印字装置と、を有するリストバンド発行システムであって、
ＲＦＩＤに負傷者情報を記憶したＲＦＩＤトリアージタッグと、
ＲＦＩＤトリアージタッグに記憶された負傷者情報を読取り、読取った負傷者情報をホストコンピューターに送信可能な読取装置と、
負傷者情報の中からリストバンドに付与する情報を選択し、選択したリストバンドに付与する情報を患者情報として設定できる設定手段と、負傷者情報から設定手段で選択した患者情報のみを抽出する抽出手段と、を有し、読取装置から負傷者情報を受信可能で、患者情報を印字装置に送信可能なホストコンピューターと、
ホストコンピューターから患者情報を受信可能で、患者情報を付与したリストバンドを発行する印字装置と、を備え、
設定手段によってリストバンドに付与すべき情報を選択し、患者情報として設定した後に、読取装置によってＲＦＩＤトリアージタッグの負傷者情報の読取を行うと、抽出手段によって患者情報を抽出し、印字装置よって患者情報を付与したリストバンドを発行可能とするリストバンド発行システム。
【発明の詳細な説明】
【技術分野】
【０００１】
本発明は、リストバンドを発行するシステムに係り、詳しくは、ＲＦＩＤトリアージタッグに記憶されている負傷者情報を読取り、読取った負傷者情報から医療機関内の管理に必要な患者情報を抽出し、抽出した患者情報を付与したリストバンドを発行するリストバンド発行システムに関する。
【背景技術】
【０００２】
従来、負傷者が大量発生する事故や災害に際して、可能な限り多くの人命を救助するために、負傷者の重傷度を評価し、病院などの医療機関に搬送する優先順位、搬送先などを定めるトリアージ作業が行われている。
トリアージ作業には、トリアージ作業者が負傷者の重傷度や負傷者の氏名などの負傷者情報を記入し負傷者に装着するトリアージタッグが用いられており、このトリアージタッグによって負傷者を医療機関に搬送する優先順位、搬送先を表示できる他に、トリアージタッグの負傷者情報を集計することによって事故や災害で発生した負傷者数などの被害状況や負傷者毎に搬送される病院名である収容医療機関名などを知ることができる。
なお、負傷者情報は、負傷者の氏名、年齢、性別、住所、電話番号、傷病名、トリアージ区分、特記事項、トリアージ実施月日・時刻、トリアージ実施者名、搬送機関名、収容医療機関名、トリアージ実施場所、トリアージ実施機関、トリアージ実施者区分という項目を有する。
【０００３】
最近では、より効率的なトリアージ作業ができるように、ＲＦＩＤを搭載したＲＦＩＤトリアージタッグが用いられたＲＦＩＤトリアージシステムがある。このＲＦＩＤトリアージシステムは、トリアージ作業者がＲＦＩＤトリアージタッグ表面に手書きで負傷者情報を記入するとともに、ＰＤＡなどの携帯端末でＲＦＩＤトリアージタッグのＲＦＩＤ及び携帯端末の記憶部分に、ＲＦＩＤトリアージタッグ表面に記入した負傷者情報と同じ情報を記憶させ、携帯端末によって負傷者情報を被害状況を集計しているホストコンピューターにリアルタイムで送信できるものであって、早期の被害状況の把握や報道機関への情報提供に役立っている。
なお、このＲＦＩＤトリアージシステムは既に実証実験されてその効果が証明されている。
【０００４】
トリアージタッグにＲＦＩＤを搭載させた意義として、負傷者が大量発生しトリアージ作業を必要とする事故や災害の現場は、必ずしも携帯端末がホストコンピューターと通信できる環境ではないことがあるため、現場でトリアージ作業者が携帯端末でＲＦＩＤトリアージタッグのＲＦＩＤに負傷者情報を記憶させて、救急車などの負傷者搬送車両で負傷者を搬送中に携帯端末がホストコンピューターとの通信ができる地域に達した時点で、救急隊員などの携帯端末によってＲＦＩＤトリアージタッグに既に記憶してある負傷者情報を読取ってホストコンピューターに送信できるなど、負傷者に携帯端末で容易に読取れる負傷者記憶情報を付与でき、これによって負傷者情報の伝達速度が飛躍的に向上することにある。
【０００５】
一方、病院などの医療機関では入院患者を管理する方法として、入院患者に、患者の氏名、年齢、性別、医療機関が固有に与えた患者ＩＤ、傷病名などの患者を識別できる患者情報が付与されたリストバンドを装着して管理を行っている。
リストバンドは、病院内のホストコンピューターにホストコンピューターの操作者が患者情報を入力し、ホストコンピューターと通信しているプリンタで患者情報を付与して発行している。
【０００６】
医療機関がリストバンドを入院患者に装着するタイミングは、入院患者に医療行為を行う前にリストバンドを装着することが一般的である。これは医療機関が入院患者への医療行為の履歴をとるためなどの理由からによる。よって医療機関は、上述したタイミングより前に患者情報を得て、患者情報が付与されたリストバンドの発行を行い、入院患者にリストバンドを装着している。
なお、リストバンド発行、患者に装着のタイミングは一般的に患者が入院してきたときである。
【０００７】
トリアージ作業によって医療機関に搬送された負傷者の中で、重傷の負傷者の多くは医療機関に搬送された後は医療機関の入院患者となり医療機関で管理を行う。よって重傷の負傷者が大量に搬送されてきたときに、医療機関は負傷者に医療行為を行う前に医療機関内での患者を管理するためのリストバンドを装着する必要がある。
【０００８】
しかしながら、ＲＦＩＤトリアージタッグが装着された重傷の負傷者が大量に搬送されてきた医療機関では、ホストコンピューターの操作者がＲＦＩＤトリアージタッグ表面に記入された負傷者情報を目視にて読取り、その負傷者情報の中からリストバンド発行に必要な患者情報を目視確認し、ホストコンピューターに入力を行い、プリンタによって患者情報が付与されたリストバンドを発行するという大変手間と時間のかかる作業を行わなくてならならず、ホストコンピューターの操作者が入力ミスを起こす可能性が高くなるという問題があった。
また、ＲＦＩＤトリアージタッグ表面は、負傷者を搬送中に搬送経路中の泥や負傷者の血液などによって汚れたり、トリアージ作業者は急いで作業を行っているため文字などで記入された負傷者情報が汚いなど、必ずしも目視で読取り易い状況とは言えず、患者情報が付与されたリストバンドを発行するために、ホストコンピューターの操作者がＲＦＩＤトリアージタッグ表面を目視にて読取りホストコンピューターに患者情報を入力するときに読み間違いが起こる可能性が高くなるという問題があった。
【０００９】
【特許文献１】特開２００１−５２０７５
【特許文献２】特開２００４−２４０７９７
【発明の開示】
【発明が解決しようとする課題】
【００１０】
本発明は、上記のような問題点に着目してなされたものであって、災害や事故などによって医療機関にＲＦＩＤトリアージタッグを装着された負傷者が大量に搬送されたときも医療機関内の患者管理に用いられる患者情報が付与されたリストバンドを円滑に発行することができるリストバンド発行システムを提供することを目的とする。
【課題を解決するための手段】
【００１１】
本発明に係るリストバンド発行システムは、ＲＦＩＤに負傷者情報を記憶したＲＦＩＤトリアージタッグと、ＲＦＩＤトリアージタッグに記憶された負傷者情報を読取可能な読取手段と、前記読取手段で読取った負傷者情報の中からリストバンドに付与する患者情報のみを抽出する抽出手段と、前記抽出手段で抽出した患者情報を付与したリストバンドを発行する印字手段と、を備えることを特徴とする。
前記患者情報は、負傷者情報の中からリストバンドに付与する情報を選択し、選択したリストバンドに付与する情報を患者情報として設定できる設定手段によって設定することができる。
前記負傷者情報は、負傷者の氏名、年齢、性別、住所、電話番号、傷病名、トリアージ区分、特記事項、トリアージ実施月日・時刻、トリアージ実施者名、搬送機関名、収容医療機関名、トリアージ実施場所、トリアージ実施機関、トリアージ実施者区分という項目を有することができる。
読取装置と、ホストコンピューターと、印字装置と、を有するリストバンド発行システムであって、ＲＦＩＤに負傷者情報を記憶したＲＦＩＤトリアージタッグと、ＲＦＩＤトリアージタッグに記憶された負傷者情報を読取り、読取った負傷者情報をホストコンピューターに送信可能な読取装置と、負傷者情報の中からリストバンドに付与する情報を選択し、選択したリストバンドに付与する情報を患者情報として設定できる設定手段と、負傷者情報から設定手段で選択した患者情報のみを抽出する抽出手段と、を有し、読取装置から負傷者情報を受信可能で、患者情報を印字装置に送信可能なホストコンピューターと、ホストコンピューターから患者情報を受信可能で、患者情報を付与したリストバンドを発行する印字装置と、を備え、設定手段によってリストバンドに付与すべき情報を選択し、患者情報として設定した後に、読取装置によってＲＦＩＤトリアージタッグの負傷者情報の読取を行うと、抽出手段によって患者情報を抽出し、印字装置よって患者情報を付与したリストバンドを発行可能とする。
【発明の効果】
【００１２】
本発明に係るリストバンド発行システムは、ＲＦＩＤに負傷者情報を記憶したＲＦＩＤトリアージタッグと、ＲＦＩＤトリアージタッグに記憶された負傷者情報を読取可能な読取手段と、前記読取手段で読取った負傷者情報の中からリストバンドに付与する患者情報のみを抽出する抽出手段と、前記抽出手段で抽出した患者情報を付与したリストバンドを発行する印字手段と、を備えるため、災害や事故などによって医療機関にＲＦＩＤトリアージタッグを装着された負傷者が大量に搬送されたときも医療機関内の患者管理に用いられる患者情報が付与されたリストバンドを円滑に発行することができる。
【発明を実施するための最良の形態】
【００１３】
以下、本発明に係るリストバンド発行システム１の実施の形態について図面に基づいて詳細に説明する。
【００１４】
図１は、リストバンド発行システム１のシステム構成図を示すものである。
【００１５】
リストバンド発行システム１は、ＲＦＩＤトリアージタッグ２と、リストバンド３と、読取装置４と、ホストコンピューター５と、印字装置６と、から構成される。
【００１６】
図２はＲＦＩＤトリアージタッグ２の平面図であり、図３はＲＦＩＤトリアージタッグ２の側面図である。
【００１７】
ＲＦＩＤトリアージタッグ２は、負傷者情報を、目視で読取れるように表示し、読取装置４で読取ることができるように記憶している負傷者に装着するタグであって、トリアージ作業者が負傷者の氏名、年齢などの負傷者情報を記入する表示欄８を有する伝票部９と、負傷者情報を記憶するＲＦＩＤ１０を有する台紙１１と、ＲＦＩＤトリアージタッグ２を負傷者に装着するための紐部１２と、から構成される。
伝票部９は、災害本部と負傷者搬送車両と医療機関が控えとして取っておけるように最上層の表示欄８にトリアージ作業者が筆記用具を用いて記入すると記入した内容が最下層まで転写する同情報が表示された３枚綴りの伝票である。
表示欄８は、負傷者情報である負傷者の氏名、年齢、性別、住所、電話番号、傷病名、トリアージ区分、特記事項、トリアージ実施月日・時刻、トリアージ実施者名、搬送機関名、収容医療機関名、トリアージ実施場所、トリアージ実施機関、トリアージ実施者区分という項目を有しており、トリアージ作業者が各項目に記入できるように構成される。
台紙１１は、トリアージ作業者が伝票部９の表示欄８を筆記用具により記入し易くするために、伝票部９より下層に設置され下敷きとしての機能を果たす厚紙であって、伝票部９より大きく形成され、伝票部９からはみ出している部分に負傷者の重傷度であるトリアージ区分を色で表示するトリアージ区分表示部１３を有する。この台紙１１に負傷者情報を記憶することができるＲＦＩＤ１０を内蔵若しくは貼付けしてある。
紐部１２は、ゴムによって形成されたゴム紐のことであって、トリアージ作業者は、紐部１２を負傷者の手首や足首に巻付けて負傷者にＲＦＩＤトリアージタッグ２の装着を行っている。
【００１８】
図４はリストバンド３の平面図である。
【００１９】
リストバンド３は、医療機関内で管理するために必要な患者情報を、目視で読取れるように表示し、医療機関が所有するＰＤＡなどの携帯端末で読取ることができるように記憶している患者の腕に装着するリストバンドであって、患者情報を表示する表示部１５と、患者情報を記憶する記憶部１６と、リストバンド３を患者の腕に装着するために用いられる調節固定部１７と、から構成される。
表示部１５は、患者の名前、性別、医療機関が固有に与えた患者ＩＤ、傷病名などの患者情報を文字など目視で読取れるように表示するものであって、この表示部１５の患者情報は印字装置６の後述する印字部によって印字される。
記憶部１６は、患者情報を医療機関が所有するＰＤＡなどの図示しない携帯端末によって読取れるように記憶するＲＦＩＤ１８であって、リストバンド３に内蔵されている。この記憶部１６の患者情報は、印字装置６の後述するＲＦＩＤリーダーライター部によって記憶される。
また、リストバンドにＲＦＩＤを有していない、医療機関が所有する携帯端末がＲＦＩＤの読取りができない、リストバンドに内蔵されたＲＦＩＤの故障を考慮しリカバリーできる記憶部が必要である、などの理由によって、携帯端末によって読取りできる記憶部１６としての患者情報を２次元コードなどの識別コード化して表示部１５に表示することもできる。この識別コードは、印字装置６の後述する印字部によって印字される。
調節固定部１７は、患者の腕の太さに合わせてリストバンド３の径を調節できる調節部１９と、調節部１９で調節したリストバンド３の径を固定できる図示しない固定部と、を有する。
【００２０】
読取装置（読取手段）４は、ホストコンピューター５と通信可能に接続され、ＲＦＩＤトリアージタッグ２のＲＦＩＤに記憶された負傷者情報を読取り、読取った負傷者情報をホストコンピューター５に送信するＲＦＩＤリーダーライターであって、医療機関のリストバンド発行者の操作によって読取り開始する。
【００２１】
ホストコンピューター５は、マウス２１及びキーボード２２を操作することによってホストコンピューター内のデーターの変更などを行い、この操作状況が操作画面２３上に表示されるパーソナルコンピューターであって、読取装置４及び印字装置６に通信可能に接続されている。
また、読取装置４とホストコンピューター５と印字装置６間の通信形式は、無線ＬＡＮ又はＢｌｕｅｔｏｏｔｈ（登録商標）のような無線形式であっても、ＲＳ−２３２Ｃのような有線形式であってもかまわない。
ホストコンピューター５は、負傷者情報（の項目）の中からリストバンド３に付与すべき情報（負傷者情報の項目）を選択し、選択したリストバンド３に付与すべき情報（負傷者情報の項目）を患者情報として設定できる設定手段と、負傷者情報から設定手段で選択した患者情報のみを抽出する抽出手段と、を有している。
ホストコンピューター５は、設定手段で、負傷者情報の中からリストバンド３に付与する情報を選択し、患者情報として設定した後は、読取装置４から送信された負傷者情報を受信後に抽出手段で患者情報のみを抽出し、抽出手段で抽出された患者情報を印字装置６に送信するものである。
設定手段は、負傷者情報の中からリストバンド３の表示部１５及び記憶部１６に付与する情報を選択し、選択したリストバンド３の表示部１５及び記憶部１６に付与する情報を患者情報として設定（記憶）できるものである。
抽出手段は、読取装置から送信された負傷者情報をホストコンピューター５が受信後に、負傷者情報から、設定手段で設定したリストバンド３の表示部１５及び記憶部１６に付与する患者情報を検索し、抽出するものである。
なお、上述したホストコンピューター５の設定手段及び抽出手段の負傷者情報とは、負傷者の氏名、年齢、性別、住所、電話番号、傷病名、トリアージ区分、特記事項、トリアージ実施月日・時刻、トリアージ実施者名、搬送機関名、収容医療機関名、トリアージ実施場所、トリアージ実施機関、トリアージ実施者区分という項目にトリアージ作業者の携帯端末によってＲＦＩＤトリアージタッグ２のＲＦＩＤ１０に記憶された情報のことである。
【００２２】
図５は、ホストコンピューター５の操作画面２３上に表示可能な選択設定画面２４の説明図である。
【００２３】
選択設定画面２４は、負傷者情報が表示された負傷者情報リスト２５の中から、リストバンド３の表示部１５及び記憶部１６に付与する情報（例えば負傷者の氏名であり、図２では佐藤  太郎）を選択し、選択した情報を患者情報としてホストコンピューター５に設定する（設定手段）ことを行うために操作画面２３上に表示される画面であって、操作画面２３を見ながらマウス２１及びキーボード２２を操作することによって操作及び設定ができるものとする。
負傷者情報リスト２５の中からリストバンド３の表示部１５及び記憶部１６に付与する患者情報を選択するには、マウス２１を操作して操作画面２３上の負傷者情報リスト２５の情報を選択し、表示部２６は選択ボタン２７をクリックし、記憶部２８は選択ボタン２９をクリックすることによって選択できる他、負傷者情報リスト２５から情報を表示部２６及び記憶部２８の欄に直接ドラッグして選択することも可能である。
設定ボタン３０をクリックすると選択した情報を患者情報としてホストコンピューター５に設定する。
【００２４】
図６は、ホストコンピューター５による負傷者情報リスト２５の中からリストバンド３に付与すべき情報を選択し、選択したリストバンド３に付与すべき情報を患者情報として設定する手順を示したフローチャート図である。
【００２５】
図示のように、ステップＳ１においてホストコンピューター５の操作者は操作画面２３上に表示される選択設定画面２４を見ながらマウス２１やキーボード２２を操作して、負傷者情報リスト２５の中からリストバンド３の表示部１５及び記憶部１６に付与する情報を選択設定画面２４上の表示部２６及び記憶部２８に選択する。ステップＳ２において、ホストコンピューター５の操作者は、選択設定画面２４上の表示部２６及び記憶部２８を確認後に設定ボタン３０を選択する。ステップ３において、ホストコンピューター５の操作者によって設定ボタン３０が選択されるとステップＳ１で選択したリストバンド３の表示部１５及び記憶部１６に付与する情報が患者情報としてホストコンピューター５に設定（記憶）される。
また、設定手段によって患者情報を設定後に、記憶部１６の患者情報を、リストバンド３のＲＦＩＤ１８に記憶させるか、リストバンド３の表示部１５に識別コード化して印字するか、リストバンド３のＲＦＩＤ１８に記憶させ且つリストバンドの表示部１５に識別コード化して印字するか、について選択できる設定を追加することができる。リストバンド３のＲＦＩＤ１８に患者情報を記憶させるときは、選択設定画面２４で記憶部２８に設定された患者情報はリストバンド３のＲＦＩＤ１８に印字装置６の後述するＲＦＩＤリーダーライター部によって記憶される。リストバンド３の表示部１５に患者情報を識別コード化して印字するときは、選択設定画面２４で記憶部２８に設定された患者情報はリストバンド３の表示部１５に印字装置６の後述する印字部によって識別コードで表示される。
また、リストバンド３の表示部１５に患者情報を識別コード化して印字するときは、選択設定画面２４で記憶部２８に設定された患者情報は、ホストコンピューター５によって識別コードに解析されて印字装置６に送信される。リストバンド３のＲＦＩＤ１８に患者情報を記憶させ且つリストバンド３の表示部１５に患者情報を識別コード化して印字するときは、選択設定画面２４で記憶部２８に設定された患者情報は、リストバンド３のＲＦＩＤ１８に印字装置６の後述するＲＦＩＤリーダーライター部によって記憶され、且つ、リストバンド３の表示部１５に印字装置６の後述する印字部によって識別コードで表示される。このリストバンド３のＲＦＩＤ１８に患者情報を記憶させ且つリストバンド３の表示部１５に患者情報を識別コード化して印字することは、リストバンド３のＲＦＩＤ１８が故障してＲＦＩＤ１８に記憶された患者情報が読取不能になったときや医療機関にＲＦＩＤが読取れる携帯端末がないという、いわゆるＲＦＩＤが読取れない状況のときに、予備の記憶部の患者情報として識別コード化された患者情報があるために、ホストコンピューター５の操作者がＲＦＩＤトリアージタッグ２の表示欄８を目視で読取り患者情報を入力するなどの手間がかからないという利点がある。
【００２６】
印字装置（印字手段）６は、ホストコンピューター５と通信可能に接続され、ホストコンピューター５から送信される患者情報を受信し、受信した患者情報を付与したリストバンド３を発行するプリンタであって、リストバンド３の表示部１５に患者情報を印字する印字部と、リストバンド３の記憶部１６に患者情報を記憶させるＲＦＩＤリーダーライター部と、を有する。
印字部は、モーターに接続されたプラテンローラーとサーマルヘッドを有し、プラテンローラーの回転駆動によりリストバンドを搬送し、サーマルヘッドの発熱作用によりインクリボンを介してリストバンド３の表示部１５に印字を行うものであって、設定手段で表示部２６に選択し、設定された患者情報について印字部でリストバンド３の表示部１５に印字する。
記憶部１６の患者情報を識別コード化してリストバンド３の表示部１５に印字するときは、設定手段で記憶部２８に選択し、設定された患者情報について識別コード化して、印字部でリストバンド３の表示部１５に印字する。
ＲＦＩＤリーダーライター部は、ＲＦＩＤに情報を読取り及びＲＦＩＤに情報を記憶させることができるＲＦＩＤリーダーライターであって、リストバンド３に内蔵されたＲＦＩＤ１８に、ホストコンピューター５から送信された患者情報を記憶させる。
【００２７】
図７は、リストバンド発行システム１の動作について示したフローチャート図である。
なお、図７のフローチャート図は、ホストコンピューター５の操作者が選択設定画面２４によって患者情報を設定済みであることを前提とする。
【００２８】
図示のように、ステップＳ４において医療機関のリストバンド発行者が読取装置４を操作することによってＲＦＩＤトリアージタッグ２の負傷者情報の読取りを行う。ステップＳ５において読取装置４は、ＲＦＩＤトリアージタッグ２から読取った負傷者情報をホストコンピューター５に送信する。ステップＳ６においてホストコンピューター５は、読取装置４から送信された負傷者情報を受信する。ステップＳ７においてホストコンピューター５は、ホストコンピューター５の操作者が設定手段で設定した（選択設定画面２４で設定した）リストバンド３の表示部１５及び記憶部１６に付与する患者情報を抽出手段によって検索し、この患者情報のみを抽出する。ステップＳ８においてホストコンピューター５は、抽出手段によって抽出された患者情報を印字装置６に送信する。ステップＳ９において印字装置６は、ホストコンピューター５から送信された患者情報を受信する。ステップＳ１０において印字装置６は、リストバンド３の表示部１５及び記憶部１６に患者情報を付与したリストバンド３を発行する。
また、患者情報を選択設定画面２４によって設定していなかったときに、ステップＳ７においてホストコンピューター５の操作画面２３上に選択設定画面２４（ステップＳ１）が自動で起動し、患者情報の設定を促すようにしても良い。
また、負傷者情報から抽出した患者情報以外の例えば医療機関内で必要な患者ＩＤなどの付加情報を付与してリストバンド３を発行したいときは、ステップＳ７において、負傷者情報から患者情報を抽出後に、ホストコンピューターの操作者の入力又は自動（事前に設定してあった付加情報）でホストコンピューターが患者情報３とともに付加情報を印字装置６に送信するようにしても良い。
【００２９】
上述したリストバンド発行システム１により、読取装置４によってＲＦＩＤトリアージタッグ２に記憶された負傷者情報を読取り、ホストコンピューター５によって読取った負傷者情報からリストバンド３に付与すべき患者情報を抽出し、印字装置６によって抽出した患者情報を付与したリストバンド３を発行することができるため、災害や事故などによって医療機関にＲＦＩＤトリアージタッグ２を装着された負傷者が大量に搬送されたときも医療機関内の患者管理に用いられる患者情報が付与されたリストバンド３を円滑に発行することができる。
【００３０】
なお、本発明が上記実施の形態に限定されず、本発明の技術思想の範囲内において、実施の形態は適宜変更可能である。また、上記構成要件の数、位置、形状等は上記実施の形態に限定されず、本発明を実施する上で好適な数、位置、形状等にすることができる。
【図面の簡単な説明】
【００３１】
【図１】リストバンド発行システム１のシステム構成図を示すものである。
【図２】ＲＦＩＤトリアージタッグ２の平面図である。
【図３】ＲＦＩＤトリアージタッグ２の側面図である。
【図４】リストバンド３の平面図である。
【図５】ホストコンピューター５の操作画面２３上に表示可能な選択設定画面２４の説明図である。
【図６】ホストコンピューター５による負傷者情報リスト２５の中からリストバンド３に付与すべき情報を選択し、選択したリストバンド３に付与すべき情報を患者情報として設定する手順を示したフローチャート図である。
【図７】リストバンド発行システム１の動作について示したフローチャート図である。
【符号の説明】
【００３２】
１      リストバンド発行システム
２      ＲＦＩＤトリアージタッグ
３      リストバンド
４      読取装置
５      ホストコンピューター
６      印字装置
８      表示欄
９      伝票部
１０    ＲＦＩＤ
１１    台紙
１２    紐部
１３    トリアージ区分表示部
１５    表示部
１６    記憶部
１７    調節固定部
１８    ＲＦＩＤ
１９    調節部
２１    マウス
２２    キーボード
２３    操作画面
２４    選択設定画面
２５    負傷者情報リスト
２６    表示部
２７    選択ボタン
２８    記憶部
２９    選択ボタン
３０    設定ボタン
【図１】
2008009528.tif 000003
【図２】
2008009528.tif 000004
【図３】
2008009528.tif 000005
【図４】
2008009528.tif 000006
【図５】
2008009528.tif 000007
【図６】
2008009528.tif 000008
【図７】
2008009528.tif 000009